(57)【特許請求の範囲】
【請求項１】
遊技盤面上に始動入賞口と、各種図柄の表示が可能な可変表示部と、可変入賞口とを具備し、前記始動入賞口へのパチンコ球１個の入賞毎に発生する１回の抽選権利に基づいて本抽選を行い、前記可変表示部に表示図柄を変化させた後に本抽選の結果を表示する本抽選結果表示動作を行わせ、本抽選の結果が当たりの場合には、前記可変入賞口に前記当たりに相当する遊技者に有利な所定の特別価値状態を発生させるよう制御する制御部とを具備するパチンコ機において、
前記制御部は、前記本抽選の結果が当たりの場合において、特別価値状態の発生中に前記始動入賞口へのパチンコ球の入賞により抽選権利が発生したときは特別価値状態に複数種類の付加価値状態のうちの何れを追加するかの決定をするための追加抽選を行う付加抽選手段と、
前記付加抽選手段により追加する付加価値状態を決定すると、前記可変表示部を上段表示領域と下段表示領域に分割し、何れか一方の表示領域には前記本抽選による当たりの図柄表示を残し、他方の表示領域には前記追加する付加価値状態の抽選結果を表示し、該追加抽選が所定の当たりのときは前記本抽選の当たり図柄表示との組合せで前記所定の当たりの表示をする分割表示手段とを備えることを特徴とするパチンコ機。
【請求項２】
前記付加価値状態は、前記可変入賞口の開閉動作であることを特徴とする請求項１に記載のパチンコ機。
【請求項３】
前記分割表示手段は、前記追加抽選により決定した前記付加価値状態の前記可変入賞口の開閉動作の回数と同じ数の数字により前記追加抽選の結果を前記可変表示部に表示するよう構成されたことを特徴とする請求項２に記載のパチンコ機。
【請求項４】
前記制御部は、前記追加抽選の結果が特殊な当たりとなったとき、付加価値状態の追加とともに、前記付加抽選手段に再度の追加抽選を行わせることを特徴とする請求項３に記載のパチンコ機。
【発明の詳細な説明】
【０００１】
【発明の属する技術分野】
本発明は、遊技盤面上に始動入賞口と、各種図柄の表示が可能な可変表示部と、可変入賞口とを具備し、前記始動入賞口へのパチンコ球１個の入賞毎に発生する１回の抽選権利に基づいて本抽選を行い、前記可変表示部に表示図柄を変化させた後に本抽選の結果を表示する本抽選結果表示動作を行わせ、本抽選の結果が当たりの場合には、前記可変入賞口に前記当たりに相当する遊技者に有利な所定の特別価値状態を発生させるよう制御する制御部とを具備するパチンコ機に関する。
【０００２】
【従来の技術】
従来の遊技機としては、遊技盤面上に複数の図柄を表示可能な可変表示部と始動入賞口とを設け、遊技盤面上に打ち出された球が始動入賞口へ入賞するごとに、可変表示部上で、たとえば、スロットマシーンに見立てた図柄合わせゲームを実行し、「７７７」などの数字が揃い、大当たりが出たとき、遊技者に有利な特別価値を発生させるものがある。特別価値としては、通常状態では閉じている大口の可変入賞口を所定回数（例えば、１６回）繰り返し開閉動作させ、球の入賞確率を高めることが一般に行われている。
【０００３】
このような遊技機では、通常、図柄合わせゲームで１度大当たりが発生すると、これに基づく特別価値の付与動作（可変入賞口の開閉動作）が終了するまでの間、可変表示手段上に大当たりの図柄を表示し続けている。このため、特別価値の付与動作中に球が再び始動入賞口へ入賞した場合には、その権利を保留し、特別価値の付与動作が終了した後に、保留してある権利に基づいて図柄合わせゲームを実行するようになっている。
【０００４】
また、特開平９−１０３９９号公報に開示されている遊技機では、大当たり発生中に始動入賞口へ球が入賞したときも可変表示部を変動させて図柄合わせゲームを実行し、再度大当たりが発生した場合には、当該大当たりに対する特別価値を、最初の大当たりに対する特別価値の付与動作を終了した後に付与するように構成されている。
【０００５】
【発明が解決しようとする課題】
しかしながら、従来のように大当たりによる特別価値の付与動作中に球が始動入賞口へ入賞したとき、その権利を保留して図柄合わせゲームをすぐに実行しない遊技機では、特別価値の付与動作中における遊技に変化がなく、遊技者はただ単に大当たり遊技を消化しているにすぎない状態が強いられ、面白みにかけるという不具合が生じていた。
【０００６】
また、権利を保留数が制限されているものの場合には、制限数に達した後に始動入賞口へ入賞した球は権利が発生しないので遊技者に不満感が生じるという問題点があった。
【０００７】
さらに、特別価値の付与動作が終了するまでの間は図柄合わせゲームが進行しないので、次回の大当たりが発生するまでに時間がかかり、遊技者に気のあせりや不快感を与えてしまうという問題があった。
【０００８】
特開平９−１０３９９号公報に開示されている遊技機では、特別価値の付与動作中に始動入賞口へ球が入賞したときも可変表示部を変動させて図柄合わせゲームを実行して大当たり判定を行っているがゲーム性そのものに関しては従来の遊技機と変わらないうえに、遊技店の営業上、各遊技機において大当たりの発生する確率を大幅に上げることはできないので、上記のような遊技者の気のあせりや不快感は解消することができるものの大当たりへの期待感を大きく高めたり、新たな興趣を提供するまでには至らなかった。
【０００９】
本発明は、このような従来の技術が有する問題点に着目してなされたもので、特別価値の付与動作中に球が始動入賞口へ入賞した際には当該入賞に基づいて特別価値に付加価値を追加し得る図柄合わせゲームを実行することで新たな興趣を齎すことのできる遊技機を提供することを目的としている。
【００１０】
【課題を解決するための手段】
かかる目的を達成するための要旨とするところは、次の各項に存する。
【００１１】
［１］
遊技盤面（１１）上に始動入賞口（２０）と、各種図柄の表示が可能な可変表示部（１１０）と、可変入賞口（３０）とを具備し、前記始動入賞口（２０）へのパチンコ球１個の入賞毎に発生する１回の抽選権利に基づいて本抽選を行い、前記可変表示部（１１０）に表示図柄を変化させた後に本抽選の結果を表示する本抽選結果表示動作を行わせ、本抽選の結果が当たりの場合には、前記可変入賞口（３０）に前記当たりに相当する遊技者に有利な所定の特別価値状態を発生させるよう制御する制御部（１５０）とを具備するパチンコ機（１０）において、
前記制御部（１５０）は、前記本抽選の結果が当たりの場合において、特別価値状態の発生中に前記始動入賞口（２０）へのパチンコ球の入賞により抽選権利が発生したときは特別価値状態に複数種類の付加価値状態のうちの何れを追加するかの決定をするための追加抽選を行う付加抽選手段と、
前記付加抽選手段により追加する付加価値状態を決定すると、前記可変表示部（１１０）を上段表示領域（１１１）と下段表示領域（１１２）に分割し、何れか一方の表示領域には前記本抽選による当たりの図柄表示を残し、他方の表示領域には前記追加する付加価値状態の抽選結果を表示し、該追加抽選が所定の当たりのときは前記本抽選の当たり図柄表示との組合せで前記所定の当たりの表示をする分割表示手段とを備えることを特徴とするパチンコ機（１０）。
【００１２】
［２］
前記付加価値状態は、前記可変入賞口（３０）の開閉動作であることを特徴とする項１に記載のパチンコ機（１０）。
【００１３】
［３］
前記分割表示手段は、前記追加抽選により決定した前記付加価値状態の前記可変入賞口（３０）の開閉動作の回数と同じ数の数字により追加抽選の結果を前記可変表示部（１１０）に表示するよう構成されたことを特徴とする項２に記載のパチンコ機（１０）。
【００１４】
［４］
前記制御部（１５０）は、前記追加抽選の結果が特殊な当たりとなったとき、付加価値状態の追加とともに、前記付加抽選手段に再度の追加抽選を行わせることを特徴とする項３に記載のパチンコ機（１０）。
【００１５】
次に作用を説明する。
【００１６】
遊技盤面（１１）上に打ち出されたパチンコ球が始動入賞口（２０）へ入賞すると、入賞球１球毎に所定数の賞球が払い出される。また、その一回の入賞に基づいて制御部（１５０）が一回の本抽選を行う。本抽選の結果は、可変入賞口（３０）に所定の動作をさせて遊技者に有利なゲーム状態となる特別価値状態をもたらす当たりである所謂「大当たり」と、可変入賞口（３０）による動作等の遊技者に有利となるゲーム状態は何らもたらされない所謂「ハズレ」と、実質的に「ハズレ」であるが可変表示部（１１０）上では「当たり」にあと一歩の所謂「リーチ」とがある。
【００１７】
本抽選の結果に従って前記制御部（１５０）は前記可変表示部（１１０）において図柄の表示変化を一定時間継続させた後に停止させ、本抽選の結果を図柄の組合せで表示する本抽選結果表示動作を行わせる。例えば、本抽選の結果が所謂「フィーバー」と呼ばれる大当たりとなった場合、所定時間可変表示部（１１０）を動作させた後に図柄表示を全て数字「７」等のぞろ目にして停止させるなどである。
【００１８】
前記本抽選結果が「大当たり」の場合には、前記制御部（１５０）は前記可変入賞口（３０）を所定時間開き、一旦、短時間閉じた後再び所定時間開く動作を例えば１６回繰り返して遊技者に入賞の機会を格段に増加させて短時間に大量の賞球の獲得を可能にする特別価値状態を発生させる。なお、前記可変入賞口（３０）へパチンコ球の入賞があったときには、入賞球１球につき所定の数を掛けた数のパチンコ球が賞球として払い出される。
【００１９】
前記制御部（１５０）は、前記本抽選の結果が当たりの場合で特別価値状態の発生中に前記始動入賞口（２０）へのパチンコ球の入賞により抽選権利が発生したときは、付加抽選手段により前記本抽選の結果に基づく特別価値状態に複数種類の付加価値状態のうちの何れを追加するかの決定をするための追加抽選を行う。
【００２０】
前記追加抽選により追加する付加価値状態が決定すると、分割表示手段が前記可変表示部（１１０）を上段表示領域（１１１）と下段表示領域（１１２）に分割し、例えば上段表示領域（１１１）には前記本抽選による当たりの図柄表示を残し、下段表示領域（１１２）には追加抽選の結果表示をする。
【００２１】
付加価値状態の内容を遊技者が認識可能なように、上段表示領域（１１１）の前記本抽選による当たりの図柄表示と下段表示領域（１１２）の追加抽選の結果表示との特定の組合せを付加価値状態の内容に対応させてある。
【００２２】
前記付加価値状態は、前記特別価値状態に前記可変入賞口（３０）の開放回数を追加する開閉動作を行うことである。
【００２３】
付加価値状態の内容は、例えば、前記分割表示手段に前記追加抽選により決定した前記可変入賞口（３０）の開閉動作の追加の回数と同じ数の数字を前記可変表示部（１１０）にぞろ目に出して追加抽選の結果として表示してもよい。
【００２４】
さらに、前記追加抽選の結果が特殊な当たりとなったときは、付加価値状態の追加とともに、前記付加抽選手段に再度の追加抽選を行わせてもよい。
【００２５】
このように、「大当たり」発生後にさらに遊技者に有利となる付加価値状態が付加され得るので新たな興趣が湧き起こると共に、「大当たり」による特別状態発生中の単調なゲーム性が改善されるので、スリルと興奮が持続した状態で遊技を続けることができる。
【００２６】
【発明の実施の形態】
以下、図面に基づき本発明の一実施の形態を説明する。
【００２７】
図２に示すように、本実施の形態にかかる遊技機１０は、遊技盤面１１上に打ち出された球の入賞を競うパチンコ機である。パチンコ機１０は、打ち出された球が始動入賞口２０に入賞したことを契機に遊技盤面１１の中央に配置されている表示装置１００上で、スロットマシーンに見立てた図柄合わせゲームを実行し、制御部１５０が抽選（本抽選）を行って大当たりとなったときは「７７７」など所定の数字を揃えて図柄表示を停止させ、可変入賞口３０を所定回数開閉させて遊技者に有利な特別価値状態を付与するようになっている。
【００２８】
パチンコ機１０の前面下方には、遊技盤面１１上にパチンコ球を打ち込む操作を行うためのハンドル１２が設けられている。遊技者がこのハンドル１２を操作することにより、遊技機１０の前面に設けられた前皿１３から１個ずつパチンコ球を遊技盤面１１上に打ち込むことができる。また、大当たり等によりパチンコ機１０から前皿１３内に多量のパチンコ球が放出された際に前皿１３から溢れたパチンコ球を受け止めて貯留するための下皿１４が前皿１３の下方に設けられている。
【００２９】
遊技盤面１１には、ハンドル１２の操作により発射されたパチンコ球をほぼ円状に誘導して遊技盤面１１の上部中央等に導く発射レール１５が設けられている。遊技盤面１１の略中央には、表示装置１００が配置されている。また表示装置１００の下方には、始動入賞口２０が、さらにその下方には可変入賞口３０が配置されている。
【００３０】
このほか遊技盤面１１上には、打ち込まれたパチンコ球の落下速度や進行方向を変化させるための障害釘１６や風車１７等が設けられている。また、遊技盤面１１の最下部には、いずれの入賞口にも入賞しなかったパチンコ球を回収するためのアウトロ１８が設けられている。さらに、パチンコ機１０の前面には、各種遊技状態を表示したり遊技の面白味を増加させるための各種表示ランプが多数設けられている。
【００３１】
表示装置１００は、任意の図柄を表示することのできる液晶画面で構成された可変表示部１１０と、始動入賞口２０に入賞したパチンコ球数（４つ）を記憶した旨をＬＥＤ表示部で報知する保留球表示部１２０と、可変入賞口３０の開閉板３１の開放回数を表示する開閉板開放回数表示部１３０とから構成されている。
【００３２】
可変表示部１１０は、図柄合わせゲームの実行過程における図柄の変動および実行結果として確定した図柄を表示するための上段表示領域１１１と、大当たりによる特別価値状態の発生中に始動入賞口２０へのパチンコ球の入賞があったときに、その入賞に基づく図柄合わせゲームの実行過程における図柄の変動および実行結果として確定した図柄を表示するための下段表示領域１１２とが画成されている。
【００３３】
また開閉板開放回数表示部１３０は、上下２段の表示領域を備え、一方（例えば、上段）は大当たりによる開閉板開放回数と後に述べる追加された開閉板開放回数の合計回数を表示する総開放回数表示部１３１であり、他方（例えば、下段）は前記の追加された開閉回数を表示する追加開放回数表示部１３２である。
【００３４】
始動入賞口２０は、図柄合わせゲームの実行を開始する契機となる入賞口であり、通常状態では、始動入賞口２０に球が入賞することによって可変表示部１１０上で図柄合わせゲームが実行される。
【００３５】
図１は、遊技機１０の回路構成の概要を表している。遊技機１０には、遊技の経過に伴って各種の装置を制御する制御部１５０が設けられ、この制御部１５０段は、本抽選、追加抽選、遊技動作等を制御する遊技制御部１６０と各種表示装置を制御する表示制御部１７０とで構成されている。
【００３６】
遊技制御部１６０は、始動入賞口２０へのパチンコ球の入賞により行う本抽選のほか、本抽選で大当たり等となり、それに基づく特別価値状態が発生中にさらに始動入賞口２０へのパチンコ球の入賞があったときに行う追加抽選、各種入賞口（始動入賞口２０、可変入賞口３０等）の有する入賞検出スイッチでの検出状況、入賞に伴って遊技者に払い出される賞球の個数、可変入賞口３０の開閉板３１の開放回数など、遊技の進行に関する各種の制御を行うものである。
【００３７】
表示制御部１７０は、可変表示部１１０（上段表示領域１１１、下段表示領域１１２）、保留球表示部１２０、開閉板開放回数表示部１３０、各種表示ランプ等の表示状態を制御する回路部分である。遊技制御部１６０と表示制御部１７０とは情報の授受を互いに行い、遊技機１０全体の各種装置を制御するように構成されている。
【００３８】
遊技制御部１６０、表示制御部１７０は共に、ＣＰＵ（中央処理装置）１６１、１７１、ＲＡＭ１６２、１７２、ＲＯＭ１６３、１７３を主要部とする回路によって構成されている。遊技制御部１６０の有するＣＰＵ１６１は、可変表示部１１０上で行われる図柄合わせゲームの実行を制御する図柄合わせゲーム実行部１６４と、可変入賞口３０の動作を制御して特別価値状態を発生させる特別価値発生制御部１６５としての機能を果たす。ＲＯＭ１６３には、特別価値状態の発生中に前記始動入賞口２０へのパチンコ球の入賞により抽選権利が発生したときに特別価値状態に複数種類の付加価値状態のうちの何れを追加するかの決定をするための追加抽選を行うプログラムである付加抽選手段が格納されている。特別価値発生制御部１６５は追加抽選によって決定した付加価値状態を発生させる機能も有する。
【００３９】
また表示制御部１７０の有するＣＰＵ１７１は、ＲＯＭ１７３に格納されたプログラムである分割表示手段を実行することにより特別価値状態の発生中に前記始動入賞口２０へのパチンコ球の入賞により抽選権利が発生したときに特別価値状態に複数種類の付加価値状態のうちの何れを追加するかの決定をするための追加抽選が行われた後の追加抽選結果に従った図柄合わせゲームを下段表示領域１１２において実行する機能を果たすようになっている。
【００４０】
始動入賞口２０は、入賞したパチンコ球を検出するための始動入賞検出スイッチ２１をその内部に備えている。可変入賞口３０は、それぞれ前後に開閉する開閉板３１を有し、開閉板３１が対応するソレノイド３２によって開閉駆動されるようになっている。
【００４１】
また、可変入賞口３０には、開閉板３１の開放状態時に入賞したパチンコ球を検出する入賞検出スイッチ３３と、この検出結果を計数する入賞計数機３４と、開閉板３１内の中央に形成されるＶ入賞口３５に入賞したパチンコ球を検出するＶ入賞検出スイッチ３６とがそれぞれ設けられている。
【００４２】
可変入賞口３０は、大当たり状態が発生したときに一定時間（例えば３０秒）或いは所定個数（例えば、１０個）のパチンコ球が入賞したときの何れか短い時間内だけ開閉板３１が開放し、開放している時にＶ入賞口３５に入賞することを条件に、さらに所定回数継続して開放するように構成されている。つまり、入賞計数機３４は、可変入賞口３０の閉鎖するタイミングを決定するために計数し、Ｖ入賞検出スイッチ３６は、開放状態を継続させる条件を判定するために用いられる。
【００４３】
無限カウンタ４０は、賞球を払い出す機能を果たす部分であり、払い出すパチンコ球の個数を内蔵する賞球払出計数機４１によって計数し、入賞口毎に予め定められている個数のパチンコ球を払い出すよう構成されている。
【００４４】
次に作用を説明する。
【００４５】
図３は可変表示部１１０の表示状態の遷移を表している。先ず、始動入賞口２０にパチンコ球が入賞すると、図柄合わせゲーム実行部１６４によって図柄合わせゲームの実行が開始され、上段表示領域１１１上の図柄が変動し始める（図３ａ）。同時に本抽選が行われる。遊技盤面１１の図柄は、一定時間スクロールした後、１つずつ順次停止する（図３ｂ〜ｄ）。抽選結果が大当たりであるときは図柄（実行結果）を、例えば、図３ｄに示すように「７７７」など同一図柄に揃えて停止させる。大当たりの発生により可変入賞口３０が特別価値状態を発生させるべく開閉動作を開始する。抽選結果がハズレのときは、「１４８」等図柄はランダムに停止する。
【００４６】
大当たりによる特別価値状態、すなわち可変入賞口３０の所定の開閉動作が行われている最中に始動入賞口２０にさらにパチンコ球が入賞すると、分割表示手段により表示制御部１７０のＣＰＵ１７１は上段表示領域１１１に表示されている大当たりの図柄（７７７）をそのまま表示し、下段表示領域１１２上の図柄を変動させ始める（図３ｅ）。遊技制御部１６０ではＣＰＵ１６１が付加抽選手段により追加抽選を行う。所定の時間、可変表示部１１０の下段表示領域１１２において図柄の変動動作が実行される（図３ｆ）。
【００４７】
図３ｇは追加抽選の結果が当たりの場合の表示例を示したものであり、本抽選の大当たり表示である「７７７」と同じ奇数の「３」を「３３３」とゾロ目に揃えて停止させている。このとき、例えば追加抽選によって追加される付加価値状態として可変入賞口３０の開閉動作を３回追加する場合は前記のように（「３３３」と）表示し、１回追加のときは「１１１」、５回追加のときは「５５５」等のように追加される可変入賞口３０の開閉動作回数と当たり表示のゾロ目の数を同一のものとして、遊技者に追加回数が瞬時に分かるように表示される。
【００４８】
さらに、この追加回数は開閉板開放回数表示部１３０の下段に表示される。開閉板開放回数表示部１３０の上段には本抽選により付与される可変入賞口３０の開閉動作回数と追加抽選の結果により追加される回数を合計した総回数が表示される。
【００４９】
合計した総ての開閉動作回数が消化されたときは、通常のゲーム状態に戻り、始動入賞口２０へのパチンコ球の入賞が有れば本抽選が行われる。なお、合計した総ての開閉動作回数が消化される間に更に始動入賞口２０への球の入賞が有ったときは、前記と同様に追加抽選を行って、その結果が当たりであれば当該当たりに対応した付加価値状態をさらに追加するようにしてもよい。
【００５０】
追加抽選がハズレのときは、本抽選のハズレの表示と同様に３つの数字がランダムに並べられる場合の他、本抽選の大当たり表示である奇数「７」のゾロ目と異なる偶数のゾロ目、例えば、「２２２」、「４４４」等を表示することもある。
【００５１】
すなわち、本抽選の当たり表示が偶数のゾロ目のときは、追加抽選の当たり表示も偶数のゾロ目とし、ハズレのときは偶数のゾロ目以外の数字を並べて表示する。本抽選の当たり表示が奇数のゾロ目のときは、追加抽選の当たり表示も奇数のゾロ目とし、ハズレのときは奇数のゾロ目以外の数字を並べて表示する。
【００５２】
また、本抽選の当たり表示が偶数のゾロ目のときは、追加抽選の結果表示を偶数のみから成るものの場合も当たりであるとしてもよい。
【００５３】
その他、追加抽選の結果表示を本抽選の当たり表示との関係で様々な態様で表示することができる。
【００５４】
また、追加抽選の当たりに特殊な当たりを設けて、特殊な当たりとなったときは、可変入賞口３０の開閉動作の追加とともに、更に再度の追加抽選を行う権利を発生させてもよい。
【００５５】
このとき、遊技者は可変表示部１１０の色を変えたり、点滅させる等により再度の追加抽選が行われることが知らされる。
【００５６】
このように、特別価値の付与動作中に球が始動入賞口へ入賞したときは当該入賞に基づいて付加価値を追加し得る図柄合わせゲームが行われるので新たな興趣が齎される。
【００５７】
【発明の効果】
本発明にかかるパチンコ機は、本抽選の結果が当たりの場合において、特別価値状態の発生中に始動入賞口へのパチンコ球の入賞により抽選権利が発生したときは特別価値状態に複数種類の付加価値状態のうちの何れを追加するかの決定をするための追加抽選を行い、該追加抽選結果により追加する付加価値状態が決定されると、可変表示部を上段表示領域と下段表示領域に分割され、何れか一方の表示領域には前記本抽選による当たりの図柄表示を残し、他方の表示領域には前記追加する付加価値状態の抽選結果が表示され、該追加抽選が所定の当たりのときは前記本抽選の当たり図柄表示との組合せで前記所定の当たりの表示がされるので、新規なゲーム性を提供することができ、遊技者に新たな遊技の楽しさを提供することができる。
【図面の簡単な説明】
【図１】本発明の一実施の形態に係るパチンコ機の回路構成を示すブロック図である。
【図２】本発明の一実施の形態にかかるパチンコ機を示す正面図である。
【図３】本発明の一実施の形態に係るパチンコ機の可変表示部の表示内容の遷移を示す説明図である。
【符号の説明】
１０…パチンコ機
１１…遊技盤面
１２…ハンドル
１３…前皿
１４…下皿
２０…始動入賞口
２１…始動入賞検出スイッチ
３０…可変入賞口
３１…開閉板
３２…ソレノイド
３３…入賞検出スイッチ
３４…入賞計数機
３５…Ｖ入賞口
３６…Ｖ入賞検出スイッチ
４０…無限カウンタ
４１…賞球払出計数機
１００…表示装置
１１０…可変表示部
１１１…上段表示領域
１１２…下段表示領域
１２０…保留球表示部
１３０…開閉板開放回数表示部
１３１…総開放回数表示部
１３２…追加開放回数表示部
１５０…制御部
１６０…遊技制御部
１６４…図柄合わせゲーム実行部
１６５…特別価値発生制御部
１７０…表示制御部
【図１】
0004233626.tif 000002
【図２】
0004233626.tif 000003
【図３】
0004233626.tif 000004